(57)【要約】  【課題】猫や犬等がおやつに食して消化器官に蓄積する毛玉の排便を促す効果がありしかもカロリーオフで多少摂取量が多くても摂取カロリー過多にならないペット用おかゆのレトルトパック。  【解決手段】多量割合の米と微小気泡を多量分散状態に含む蒟蒻粒と、犬や猫等が食欲をそそる味覚が得られるようにする味付けに必要な少量割合の肉類と、栄養バランス上の必要割合の野菜類とを混ぜて一緒に釜炊きして、米と肉類と野菜類とから溶け出した蛋白質・澱粉・アミノ酸、その他の液汁を蒟蒻粒に沁み込ませ味沁み蒟蒻粒を米粒と分かり難くして全体的にカロリーオフのおかゆとして、該おかゆの一定量を袋又は容器に詰めて開口を閉じてなる。【特許請求の範囲】
【請求項１】
米と微小気泡を多量分散状態に含む蒟蒻粒とをほぼ等量の多量割合に有し、犬や猫等が食欲をそそる味覚が得られるようにする味付けに必要な少量割合の肉類と、栄養バランス上の必要割合の野菜類とを混ぜて一緒に釜炊きして、米と肉類と野菜類とから溶け出した蛋白質・澱粉・アミノ酸、その他の液汁を蒟蒻粒に沁み込ませ味沁み蒟蒻粒を米粒と分かり難くして全体的にカロリーオフのおかゆとして、該おかゆの一定量を袋又は容器に詰めて開口を閉じてなることを特徴とするペット用おかゆのレトルトパック。
【発明の詳細な説明】
【技術分野】
【０００１】
本願発明は、猫や犬等におやつ等として与えて食欲をそそる味付け調理が可能であり食すると消化器官に蓄積する毛玉の排便を促す効果がありしかもカロリーオフで多少摂取量が多くても摂取カロリー過多にならないペット用おかゆのレトルトパックに関する。
【背景技術】
【０００２】
近年、ペットは、家族の一員として大切に飼われてそれぞれの動物に合わせほぼ全ての栄養成分がバランス良く配合されている総合栄養食としてペットフードが売られている。また、従来においてペット用レトルトパックが売られている、缶詰とほぼ同じ内容の材料をパッケージングできるように水っぽくして流動性を持たせておかゆ風にしたものであり、缶詰とほぼ同じ総合栄養食としてペットフードであった。他に、ジャーキー、にぼし、クッキー、その他のおやつが販売されている。
これらのペットフードは高カロリーであるので、ペットが多量にペットフードを摂取すると、カロリー、ミネラルなどの栄養素の過剰摂取を引き起こし、摂取カロリー過多や摂取栄養バランスが崩れ健康状態を損ない肥満や糖尿病等の病気の原因となる可能性がある。反対に、給餌量を制限すると、ビタミン、ミネラルなどの必須栄養素の摂取量が少なくなり、健康状態を損なう惧れがある。他に、ジャーキー、にぼし、クッキー、その他のおやつが販売されている。
従って、カロリーオフのペットフードの提供が望まれている。他に、ジャーキー、にぼし、クッキー、その他のおやつが販売されている。
他方、猫が身繕いのために毛を舐めて飲み込み、飲み込んだ毛が胃の中に蓄積して毛玉となり周期的に毛玉を吐き出すのは、ほとんどは正常な生理的反応の範囲内にあると思われ、問題視されるべきことは、飼主が過剰に反応し、様々な薬を猫に与えすぎることである。しかし、胃の中で大きな手玉となり頻繁に嘔吐するという猫もまれにいる。
そこで、毛玉の排便を促す効果があるペットフードがおやつとして提供できることが望まれている。
さらに、おやつとして提供するペットフードであるので、カロリーオフのペットフードであることが望まれる。
従来のペット食品に関する先行技術文献としては、以下のものがある。
【特許文献１】特開２００３−２１０１１５・・・肥満動物のための体重管理システム
【特許文献２】特開２００３−１５６・・・ペット用食品
【特許文献３】特表２００３−５０８０６９・・・ペットフード製品およびそれを製造する方法  従来においては、米と蒟蒻を多量とし肉類と野菜類を少量とするペット用おかゆのレトルトパックは売られていない。特に猫や犬等が食して消化器官に蓄積する毛玉の排便を促す効果があるペット用おかゆのレトルトパックは売られていない。
【発明の開示】
【発明が解決しようとする課題】
【０００３】
本願発明は、猫や犬等におやつ等として与えて食欲をそそる味付け調理が可能であり食すると消化器官に蓄積する毛玉の排便を促す効果がありしかもカロリーオフで多少摂取量が多くても摂取カロリー過多にならないペット用おかゆのレトルトパックを提供することを目的としている。
【課題を解決するための手段】
【０００４】
本願発明は、米と微小気泡を多量分散状態に含む蒟蒻粒とをほぼ等量の多量割合に有し、犬や猫等が食欲をそそる味覚が得られるようにする味付けに必要な少量割合の肉類と、栄養バランス上の必要割合の野菜類とを混ぜて一緒に釜炊きして、米と肉類と野菜類とから溶け出した蛋白質・澱粉・アミノ酸、その他の液汁を蒟蒻粒に沁み込ませ味沁み蒟蒻粒を米粒と分かり難くして全体的にカロリーオフのおかゆとして、該おかゆの一定量を袋又は容器に詰めて開口を閉じてなることを特徴とするペット用おかゆのレトルトパックを提供するものである。
【発明の効果】
【０００５】
本願発明のペット用おかゆのレトルトパックは、米と蒟蒻と肉類と野菜類との混ぜ合わせたおかゆであり、低カロリー整腸作用や腸内でのカルシウム吸収率を良くしコレステロールを下げる効果がある蒟蒻粒を、米とほぼ等量有していておかゆ全体の多量を占めていて、これに肉類と野菜類とを少量含ませて、蒟蒻粒が微小気泡を多量分散状態に含む性質を有するものであり、蒟蒻に十分に味が沁み込んで蒟蒻の味と米の味とが同等であり、犬や猫等に合わせて食欲をそそる味付け調理が容易に行えて、猫や犬等におやつ等として与えて食べさせると、カロリーがある米の割合が半分であり超低カロリーの蒟蒻粒がほぼ半分であり、肉類は味付けに必要な少量であり、野菜も少量含むので栄養のバランスか欠ける惧れがなく、全体として低カロリーとなるバランス食品になり、特に蒟蒻を多量に含んでいることで毛玉を排泄することに大きな効果があるとともに、カロリーオフで多少多量に摂取量が多くても摂取カロリー過多にならないダイエット効果がある。  
【発明を実施するための最良の形態】
【０００６】
本願発明のペット用おかゆのレトルトパックは、米（例えば、全量の４０〜４５％）と、炊き上げた米粒とほぼ同じ大きさの蒟蒻粒（例えば、全量の４０〜４５％）と、犬や猫等が食欲をそそる味覚が得られるようにする味付けに必要な肉類（例えば、全量の１０〜５％）と、栄養バランス上の必要割合の野菜類（例えば、全量の１０〜５％）とを混ぜて必要な調味料その他を加えて一緒に釜炊きして、米と肉類と野菜類とから溶け出した蛋白質・澱粉・アミノ酸、その他の液汁を蒟蒻粒に沁み込ませ味沁み蒟蒻粒を米粒と分かり難くして全体的にカロリーオフのおかゆとして、該おかゆの一定量を袋又は容器に詰めて開口を閉じてなるものである。
【０００７】
本願発明においてペット用おかゆに使用する米は、価格面から古古米、古米、外国産米であることが好ましい。胃腸の活動を助ける小麦を少量含ませることができる。本願発明においてペット用おかゆに使用する蒟蒻粒は、特に気泡を多量分散状態に含んでいて味がきわめて沁み込みやすい蒟蒻粒であることが好ましい。特に、蒟蒻粉を10℃から15℃の水で溶いて真空に近いタンク中で石灰水及び空気と混練して蒟蒻成分のグルコマンナンと石灰水のゲル化反応中に微小気泡を多量分散状態に含ませゲル化反応の終わり近くで細目通しすると共に炊き上げ後の米粒大の大きさに寸断することにより細粒加工してその後役75℃から80℃の温水で茹で上げて加熱凝固して、もって気泡が多量に分散していて味沁みの大変良い蒟蒻粒を用いる。すると、微小気泡を多量分散状態に有していて味沁みが大変良い蒟蒻粒を米と合わせて炊飯して蒟蒻の気泡に米から溶け出した蛋白質（雑味のもと）・澱粉を吸収させて、蒟蒻粒に米味、肉味、野菜味を付けて蒟蒻味を無くすところに食感の著しい向上が図れる。本願発明においてペット用おかゆに使用する肉類は、牛肉、豚肉、鳥肉、魚肉、その他の種類の肉の一種類又は複数種類を犬、猫等のペットの種類に応じて選択することができる。犬用には、特にビーフ、チキン、白身魚の正肉部分を使用することが好ましい。本願発明においてペット用おかゆに使用する野菜類は、繊維質、ビタミン・ミネラル類の補給に必要であり、キャベツ、グリーンピース等の緑黄色野菜、あるいはジャガイモ、人参等であることが好ましい。特に、玉ねぎは、猫にとって血液に有害であるので、除外される必要がある。
製品の酸化を防ぐため、ミックストコフェロール（ビタミン）クエン酸、ローズマリー抽出物を使用することができる。例えば、猫用では、猫下部尿路疾患(F.L.U.T.D.)に配慮してマグネシウムやリンの含有量を制限することが好ましい。
【０００８】
本願発明のペット用おかゆのレトルトパックは、フレキシブルなパッケージに収容した場合に限定されない。また、少量が収容されたパッケージに限定されない。本願発明のペット用おかゆのレトルトパックは、おやつに少量与えることが好ましいが、朝晩の食事に与えての良い。